(57)【要約】　　　（修正有）【課題】いかなる操業条件においても、炉蓋枠に対して炉蓋ナイフエッジを密着させて、炉蓋の密閉を確実に行う。【解決手段】通常の操業では、コイルバネを用いて炉蓋本体１に取り付けたナイフエッジ９を炉蓋枠１２に押し当てて炉蓋密閉を行う。炉蓋本体１と炉蓋枠１２との相対変位がコイルバネによる追従範囲を超えた場合に、コイルバネのケーシング（プランジャケーシング５）内からコイルバネを抜き取り、ケーシング内にジャッキボルト４を取り付け、該ジャッキボルト４を用いて炉蓋本体１とナイフエッジ９とを密着させる。【選択図】　　　　　図２
2004137339.tif 000002
【特許請求の範囲】
【請求項１】
炉蓋本体に装着したナイフエッジを炉蓋枠に押し当てて炉蓋部分の密閉を行うための室式コークス炉の炉蓋密閉方法において、
前記炉蓋本体と前記ナイフエッジとの間に、ナイフエッジを炉蓋枠に押し当てるためのコイルバネを配設し、
前記コイルバネを用いて前記炉蓋本体に取り付けたナイフエッジを前記炉蓋枠に押し当てて炉蓋密閉を行い、
前記炉蓋本体と前記炉蓋枠との相対変位が前記コイルバネによる追従範囲を超えた場合に、前記コイルバネのケーシング内からコイルバネを抜き取り、前記ケーシング内にジャッキボルトを取り付け、該ジャッキボルトを用いて前記炉蓋本体と前記ナイフエッジとを密着させることを特徴とする室式コークス炉の炉蓋密閉方法。
【発明の詳細な説明】
【０００１】
【発明の属する技術分野】
本発明は、炉蓋本体に装着したナイフエッジを炉蓋枠に押し当てて炉蓋部分の密閉を行うための室式コークス炉の炉蓋密閉方法に関する。
【０００２】
【従来の技術】
従来、室式コークス炉では、炉蓋部分からのガスリーク等を抑制するための炉蓋密閉装置が種々開発されている。
例えば、炉蓋本体の正面側に一定の間隙または断熱材をおいて炉口全体を覆うシールプレートを取り付け、このシールプレートの端縁がドアフレームに当接するとともに、シールプレートの端縁または全体をスプリングにより常時ドアフレームに押圧するようにしたコークス炉の炉蓋が提案されている（特許文献１参照）。
【０００３】
また、保持体を持つ多数の構成部からなるドア栓体とドア本体との間にシールダイヤフラムプレートを固定し、その外周に内向きにシール条片を設けてバネでドアフレームに圧着したシール機構が提案されている。このシール機構は、ドア本体とドア栓体との間に間隔をおいて扁平なシールダイヤフラムプレートを固定し、その環状の外周に内向きにドアフレームに向けて方向付けたシール条片を設け、このシール条片をプレロードをかけた調整可能なバネによって多数のバネ棒を介してドアフレームに圧着するドアとしたものである。そして、ドアは、ドア栓体を、保持体を有する多数のドア栓体構成部材とし、シールダイヤフラムプレートをドアの上側および下側のみでドア本体と保持体との間にネジ結合し、さらに、ドア中央範囲でシールダイヤフラムプレートを支持薄板および保持体に結合して調整可能な間隔をおいてドア本体に保持させたものである（特許文献２参照）。
【０００４】
また、コークス炉の炉蓋のシールプレート外周に固定したナイフエッジを障害物があっても、設計で理想とする押圧ピッチで押圧するコークス炉の炉蓋密閉装置が提案されている。この炉蓋密閉装置は、コークス炉の炉蓋の本体金物前部に、一端がナイフエッジに固定されたシールプレートの他端を取り付け、ナイフエッジ背面にスプリングを内蔵した押圧具を本体金物に穿孔されているボルト孔に締め付けて固定したものである。そして、ナイフエッジ背面に接触する圧接突起を所定間隔で有し、両端背面が両側の押圧具の圧接金具に当接し、かつ押圧具のスプリングを内蔵した円筒状スプリングケースに接触する移動止めを有する圧接位置調整金具を、常に一定位置のナイフエッジ背面に圧接突起を当接せしめて配設している（特許文献３参照）。
【０００５】
図３，図４を参照して、従来のコイルスプリングを用いた室式コークス炉の炉蓋密閉装置を説明する。図３は炉蓋密閉装置の正面図、また図４は図３の左側面図を示したものである。
従来のコイルスプリングを用いた室式コークス炉の炉蓋密閉装置は、図３，図４に示すように、炉蓋本体１の側面に、取付フランジ２を介してコイルバネプランジャ３を取り付けてある。このコイルバネプランジャ３は、プランジャケーシング５の上部にナイフエッジ圧着ロッド６を有するコイルバネ締付調整ナット７をネジ着し、ナイフエッジ圧着ロッド６の下端部のナイフエッジ押え部８にナイフエッジ９を装着させ、プランジャケーシング５の内部には、コイルバネ締付調整ナット７とナイフエッジ押え部８との間に位置するようにしてコイルバネ１０を挿入してある。
また、ナイフエッジ押え部８の下部にナイフエッジ９が当接しており、ナイフエッジ９の内側面にはシールプレート１１が連結されている。
このコイルバネプランジャ３は、プランジャケーシング５の内部に挿入したコイルバネ１０の反発力により、ナイフエッジ押え部８を介してナイフエッジ９を炉蓋枠１２へ圧着させることができるようになっている。
【０００６】
また、詳細には図示しないが、コイルバネプランジャ３のプランジャケーシング５の上部内面には雌ネジ部が形成してあり、コイルバネ締付調整ナット７の外周面には雄ネジ部が形成してある。したがって、コイルバネ締付調整ナット７を回転させると、プランジャケーシング５の上部内面に形成した雌ネジ部の範囲内でコイルバネ締付調整ナット７が上下方向に移動し、これに伴いコイルバネ締付調整ナット７と一体となったナイフエッジ圧着ロッド６も上下方向に移動する。これにより、プランジャケーシング５の上部内面に形成した雌ネジ部の範囲内で、ナイフエッジ圧着ロッドの軸方向においてナイフエッジ９の位置を調整することができる。
【０００７】
【特許文献１】実開昭５１−１５９７４４号公報
【特許文献２】特公昭６２−４４３７号公報
【特許文献３】実開平６−２５３４２号公報
【０００８】
【発明が解決しようとする課題】
上述したように、従来の炉蓋密閉装置は、ナイフエッジを叩き出して炉蓋枠に圧着させたり、コイルバネプランジャの反発力によりナイフエッジを炉蓋枠に圧着させるものである。
このような炉蓋密閉装置では、炉蓋閂間において、炉蓋本体と炉蓋枠とが概ね同一方向（水平方向：コークス押出方向）に撓むため、ナイフエッジを両者の撓みに追従させて炉蓋枠へ圧着させることができるため、特に問題は生じない。
【０００９】
しかしながら、閂より上方あるいは下方において、炉蓋本体が片持梁を構成し、炉蓋枠の撓みに対して炉蓋本体の撓みが大きくなる傾向がある。このため、炉蓋本体と炉蓋枠との相対変位の程度によっては、ナイフエッジを炉蓋枠へ圧着することが困難となり、ガスリークが発生するおそれがある。そして、このようなガスリークが発生した場合には、高温かつガスリーク発生という悪環境下で、足場等を設置し、ナイフエッジの圧着調整を行ったり、モルタルによる炉蓋シール部分のメンテナンス作業を行わなければならない。
また、炉蓋の閂より上方あるいは下方において炉温や炉体の部分変形の影響によりさらに炉蓋枠が炉蓋本体の撓みに対し反対方向に撓んだ場合に、従来の技術では、ナイフエッジを炉蓋の撓みに逆らって炉蓋枠のシート面に押し戻すことができず、ガスリークを抑制することが極めて困難となる。
本発明は、上述した事情に鑑み提案されたもので、いかなる操業条件においても、炉蓋枠に対してナイフエッジを密着させて、炉蓋部分の密閉を確実に行うことが可能な室式コークス炉の炉蓋密閉方法を提供することを目的とする。
【００１０】
【課題を解決するための手段】
＜特徴点＞
本発明に係る室式コークス炉の炉蓋密閉方法は、上述した目的を達成するため炉蓋本体に装着したナイフエッジを炉蓋枠に押し当てて炉蓋部分の密閉を行うための室式コークス炉の炉蓋密閉方法において、
前記炉蓋本体と前記ナイフエッジとの間に、ナイフエッジを炉蓋枠に押し当てるためのコイルバネを配設し、
前記コイルバネを用いて前記炉蓋本体に取り付けたナイフエッジを前記炉蓋枠に押し当てて炉蓋密閉を行い、
前記炉蓋本体と前記炉蓋枠との相対変位が前記コイルバネによる追従範囲を超えた場合に、前記コイルバネのケーシング内からコイルバネを抜き取り、前記ケーシング内にジャッキボルトを取り付け、該ジャッキボルトを用いて前記炉蓋本体と前記ナイフエッジとを密着させることを特徴とするものである。
【００１１】
＜作用＞
本発明に係る室式コークス炉の炉蓋密閉方法では、通常の操業時には、コイルバネの反発力により、炉蓋本体に取り付けたナイフエッジを炉蓋枠に押し当てて炉蓋密閉を行う。
そして、操業条件や大気条件等が変化して、炉蓋本体と炉蓋枠との相対変位がコイルバネによる追従範囲を超えた場合には、コイルバネのケーシング内からコイルバネを抜き取り、ケーシング内にジャッキボルトを取り付ける。
このようにして、コイルバネをジャッキボルトに入れ替えて炉蓋密閉を行うことにより、どのような操業条件下においても、炉蓋部分における密閉性を向上させることができる。
【００１２】
【発明の実施の形態】
以下、図面に基づいて、本発明に係る室式コークス炉の炉蓋密閉方法の実施形態を説明する。
図１，図２は、本発明に係る室式コークス炉の炉蓋密閉方法に使用する炉蓋密閉装置の実施形態を示すもので、図１は炉蓋密閉装置の一部を断面とした正面図、図２は炉蓋密閉装置の一部を断面とした図１の左側面図である。
【００１３】
本発明の実施形態に係る室式コークス炉の炉蓋密閉方法に使用する炉蓋密閉装置は、図１，図２に示すように、炉蓋本体１の側面に、取付フランジ２を介して、コイルバネプランジャ３が取り付けられている。
このコイルバネプランジャ３は、従来のコイルバネプランジャ３と同様のものであり（図４参照）、図１，図２において詳細には図示しないが、プランジャケーシング５の上部にナイフエッジ圧着ロッド６を有するコイルバネ締付調整ナット７を螺着し、ナイフエッジ圧着ロッド６の下端部のナイフエッジ押え部８にナイフエッジ９を装着させ、プランジャケーシング５の内部には、コイルバネ締付調整ナット７とナイフエッジ押え部８との間に位置するようにしてコイルバネ１０を挿入してある。また、ナイフエッジ９の内側面にはシールプレート１１が連結されている。
このコイルバネプランジャ３は、プランジャケーシング５の内部に挿入したコイルバネ１０の反発力により、ナイフエッジ押え部８を介してナイフエッジ９を炉蓋枠１２へ圧着させることができるようになっている。
【００１４】
また、詳細には図示しないが、コイルバネプランジャ３のプランジャケーシング５の上部内面には雌ネジ部が形成してあり、コイルバネ締付調整ナット７の外周面には雄ネジ部が形成してある。したがって、コイルバネ締付調整ナット７を回転させると、プランジャケーシング５の上部内面に形成した雌ネジ部の範囲内でコイルバネ締付調整ナット７がナイフエッジ圧着ロッドら６の軸方向に移動し、これに伴いコイルバネ締付調整ナット７と一体となったナイフエッジ圧着ロッド６も同ロッドの軸方向に移動する。これにより、プランジャケーシング５の上部内面に形成した雌ネジ部の範囲内でナイフエッジ９の水平方向（コークス押出方向）の位置を調整することができる。
【００１５】
そして、操業条件や大気条件等が変化して、炉蓋本体１と炉蓋枠１２との相対変位がコイルバネ１０による追従範囲を超えた場合には、コイルバネ１０のプランジャケーシング５内からコイルバネ１０を抜き取り、プランジャケーシング５内にジャッキボルト４を取り付ける。なお、プランジャケーシング５内からコイルバネ１０を抜き取るには、コイルバネ締付調整ナット７を回転させて反炉側へ向かって移動し、プランジャケーシング５の上方から、ナイフエッジ圧着ロッド６と一体となったコイルバネ締付調整ナット７、およびコイルバネ１０を引き出せばよい。
【００１６】
その後、プランジャケーシング５内にジャッキボルト４を取り付けることにより、コイルバネプランジャ３とジャッキボルト４を入れ替えることができる。
ジャッキボルト４は、図１，図２に示すように、プランジャケーシング５の上部に、ボルトロッド１３を有するジャッキボルト締付ナット１４を螺着し、ボルトロッド１３の下端部にナイフエッジ押え１５を取り付けてナイフエッジ９を当接させたものである。また、ナイフエッジ９の内側面にはシールプレート１１が連結されている。
【００１７】
上述したように、プランジャケーシング５の上部内面には雌ネジ部が形成してある。また、詳細には図示しないが、ジャッキボルト締付ナット１４の外周面には雄ネジ部が形成してある。したがって、ジャッキボルト締付ナット１４を回転させると、プランジャケーシング５の上部内面に形成した雌ネジ部の範囲内でジャッキボルト締付ナット１４が水平方向（コークス押出方向）に移動し、これに伴いジャッキボルト締付ナット１４と一体となったボルトロッド１３も同水平方向（コークス押出方向）に移動する。これにより、プランジャケーシング５の上部内面に形成した雌ネジ部の範囲内でナイフエッジ９の水平方向（コークス押出方向）の位置を調整することができる。
【００１８】
【発明の効果】
以上説明したように、本発明に係る室式コークス炉の炉蓋密閉方法によれば、操業条件や大気条件等が変化して、炉蓋本体と炉蓋枠との相対変位がコイルバネによる追従範囲を超えた場合には、コイルバネのケーシング内からコイルバネを抜き取り、ケーシング内にジャッキボルトを取り付け、炉蓋本体を炉蓋枠に密着させることができる。
このように、コイルバネをジャッキボルトに入れ替えて炉蓋密閉を行うことにより、どのような条件下においても、炉蓋部分における密閉性を向上させることが可能となる。
このため、炉蓋全体において、ガスリークの発生を防止することができるので、悪環境下におけるナイフエッジの圧着調整作業およびモルタルによる炉蓋シール部分のメンテナンス作業を必要とせず、作業者の負担を大幅に軽減することが可能となる。
また、本発明に係る室式コークス炉の炉蓋密閉方法は、従来の炉蓋密閉装置におけるコイルバネをジャッキボルトに入れ替えて使用するものであるため、従来の炉蓋密閉装置を大幅に改造することなく、既存の設備に対して本発明を適用することが可能となる。
【図面の簡単な説明】
【図１】本発明の実施形態に係る炉蓋密閉方法に使用する炉蓋密閉装置を示す一部を断面とした正面図である。
【図２】本発明の実施形態に係る炉蓋密閉方法に使用する炉蓋密閉装置を示す一部を断面とした図１の左側面図である。
【図３】従来の炉蓋密閉装置を示す一部を断面とした正面図である。
【図４】従来の炉蓋密閉装置を示す一部を断面とした図３の左側面図である。
【符号の説明】
１　炉蓋本体
２　取付フランジ
３　コイルバネプランジャ
４　ジャッキボルト
５　プランジャケーシング
６　ナイフエッジ圧着ロッド
７　コイルバネ締付調整ナット
８　ナイフエッジ押え部（コイルバネプランジャ用）
９　ナイフエッジ
１０　コイルバネ
１１　シールプレート
１２　炉蓋枠
１３　ボルトロッド
１４　ジャッキボルト締付ナット
１５　ナイフエッジ押え（ジャッキボルト用）
【図１】
2004137339.tif 000003
【図２】
2004137339.tif 000004
【図３】
2004137339.tif 000005
【図４】
2004137339.tif 000006